(57)【要約】阻止キャパシタ（１２８，２２８）を有する電流インタフェース（１００，２００）を記載する。阻止キャパシタ（１２８，２２８）を付加ピン（１１５，２１５）に接続し、内部センサ回路（１３０，２３０）の電源電圧リップル除去を可能にする。ダイオード（１２５）または電圧レギュレータ（２２６）により、供給ライン（１６０，２６０，１７０，２７０）をキャパシタ（１２８，２２８）から減結合する。したがって、センサ素子（１３２，２３２）を電流インタフェース（１００，２００）とともに使用することは、阻止キャパシタ（１２８，２２８）のサイズを限定することはなく、これはすなわち、電流インタフェース（１００，２００）の出力電流信号におけるエッジの遷移時間が、通常出力電流信号におけるアンペア値測定に用いられる感知抵抗器（１７１，２７１）に結合した阻止キャパシタ（１２８，２２８）のローパス挙動による影響を受けないからである。
2009537036.tif 000002
【特許請求の範囲】
【請求項１】
センサ入力信号が制御する出力電流信号を供給する電流インタフェースにおいて、
電源電圧に接続するよう構成した第１供給ピンと、
前記出力電流信号を供給するよう構成した第２供給ピンと、
前記第１供給ピンと前記第２供給ピンとの間に接続した電流源と、
阻止キャパシタによって前記２個の供給ピンにおける一方の供給ピンに接続するよう構成した付加ピンと、
この付加ピンと前記２個の供給ピンにおける他方の供給ピンとの間に接続した減結合デバイスと
を備えたことを特徴とする電流インタフェース。
【請求項２】
請求項１に記載の電流インタフェースにおいて、さらに、前記電流源に接続して、この電流源に制御信号を供給する信号調整ユニットを備えた電流インタフェース。
【請求項３】
請求項２に記載の電流インタフェースにおいて、前記信号調整ユニットは、デジタル制御信号を前記電流源に供給するよう構成した電流インタフェース。
【請求項４】
請求項２に記載の電流インタフェースにおいて、前記信号調整ユニットには、前記第１供給ピンと前記付加ピンとの間に存在する電源電圧により電力を供給されて動作する構成とした電流インタフェース。
【請求項５】
請求項２に記載の電流インタフェースにおいて、さらに、センサ素子を備えた電流インタフェース。
【請求項６】
請求項５に記載の電流インタフェースにおいて、前記センサ素子に前記信号調整ユニットを一体的に形成した電流インタフェース。
【請求項７】
請求項５に記載の電流インタフェースにおいて、前記センサ素子を角度センサとし、とくに、前記センサ素子を磁気抵抗角度センサとした電流インタフェース。
【請求項８】
請求項２に記載の電流インタフェースにおいて、前記第１供給ピン、前記第２供給ピンならびに前記付加ピンは、単純に設けたピンとした電流インタフェース。
【請求項９】
請求項１に記載の電流インタフェースにおいて、前記減結合デバイスを、ダイオードとした電流インタフェース。
【請求項１０】
請求項１に記載の電流インタフェースにおいて、前記減結合デバイスを、電圧レギュレータとしたことを特徴とする電流インタフェース。
【発明の詳細な説明】
【技術分野】
【０００１】
本発明は、センサ素子用の電流インタフェースの分野に関する。とくに、本発明は、センサ入力信号が制御する出力電流信号を供給する電流インタフェースに関する。
【背景技術】
【０００２】
電流インタフェースは、電圧インタフェースと比較して、デジタルデータの転送に際して大きな効果をもたらす。おそらく、最も重要な効果は、電流インタフェースが単に２本のワイヤしか必要としないという点であろう。通常、電流インタフェースは、一方のワイヤを使用して電源電圧レベルから入力電流を受け出し、他方のワイヤを使用して評価ユニットに出力電流を出力する。評価ユニットは、供給された出力電流の電流量（アンペア値）を測定する。
【０００３】
通常、少なくとも３本のワイヤ、すなわち一定の電源電圧レベルを供給する第１ワイヤ、接地レベルのような基準電圧レベルを供給する第２ワイヤ、およびデータ信号を供給する第３ワイヤを必要とする電圧インタフェースと比べて、電流インタフェースは、少なくとも１本のワイヤを節約することができる。これは、とくに、センサ素子が対応する評価ユニットから遠く離れて位置する場合や、限られたスペースにおいて複数のセンサ素子を評価ユニットに接続しなければならない場合に有効である。
【０００４】
しかし、電流インタフェースに接続するセンサには、極めて高い測定精度を必要とする用途がある。そのため、望ましくない電圧変動は、電流インタフェースにおいて、誤ったまたは不正確な信号調整を引き起こし得る。
【０００５】
このような望ましくない電圧変動を、電流インタフェースに必要な２本のワイヤの間に阻止キャパシタ（阻止コンデンサ）を接続して設けることにより、補償することは既知である。しかし、これは、感知抵抗器に接続した阻止キャパシタがローパスフィルタとして作用するため、電流インタフェースの応答時間がかなり減少するという欠点を有する。したがって、高精度で測定するための電流インタフェースは、急速に変化する出力電流の供給が必要な用途には適さない。
【発明の概要】
【発明が解決しようとする課題】
【０００６】
そのため、高精度信号調整および高速応答の双方を可能にする電流インタフェースを設ける要望がある。
【課題を解決するための手段】
【０００７】
この要望は、独立請求項の主題によって満たされる。本発明の有利な実施形態を従属請求項に記載する。
【０００８】
１＃  本発明における態様によれば、センサ入力信号が制御する出力電流信号を供給する電流インタフェースを提供する。本発明により提供された電流インタフェースは、（ａ）電源電圧に接続するよう構成した第１供給ピンと、（ｂ）出力電流信号を供給するよう構成した第２供給ピンと、（ｃ）第１供給ピンと第２供給ピンとの間に接続した電流源と、（ｄ）阻止キャパシタ（阻止コンデンサ）によって２個の供給ピンにおける一方の供給ピンに接続するよう構成した付加ピンと、（ｅ）この付加ピンと２つの供給ピンにおける他方の供給ピンとの間に接続した減結合デバイスとを備える。
【発明の効果】
【０００９】
本発明におけるこの態様は、阻止キャパシタを少なくとも部分的に電流源から分離または減結合（デカップリング）するという着想に基づく。したがって、この分離は、電流インタフェースが、２個の供給ピンに接続した２本の供給ラインだけで動作するように実施できる。
【００１０】
つまり、減結合（デカップリング）デバイスは、付加ピンに現れる電圧信号から、第１および第２供給ピンのうち他方の供給ピンに現れる電圧信号を少なくとも部分的に減結合（デカップリング）または分離することができる。したがって、付加ピンに現れる電圧信号は、阻止（ブロッキング）キャパシタによって極めて安定した状態に維持することができるとともに、出力電流信号は、典型的なローパス挙動によって制限されない。
【００１１】
この構成は、一方では、一方の給電ラインにおける望ましくないピーク電圧を電流インタフェースの高感度部位に対して阻止（ブロッキング）することができるという利点を有する阻止（ブロッキング）キャパシタを、電源に設けることを意味する。他方では、ローパスフィルタは出力電流信号に影響を与えることがなく、したがって、出力電流のアンペア数の急激な変化をも、設けた電流源からデータ評価信号を転送するのに使用することができる。
【００１２】
阻止（ブロッキング）キャパシタは、外部阻止キャパシタとすることが望ましい。この構成は、シングルチップハウジングに収容した１個またはそれ以上の集積回路内に電流インタフェースを実装するときでも、阻止キャパシタのキャパシタンスを電流インタフェースにおける特定用途に対して最適化することができるという利点を有する。キャパシタンスの代表的な値は、約１〜１０００ｎＦであり、好適には、１０〜５００ｎＦである。このような阻止（ブロッキング）キャパシタは、電流インタフェースにおける高感度コンポーネントを、例えば、供給ピンに現れる静電放電現象または他の電圧変動から信頼性高く保護することができる。
【００１３】
２＃  本発明の実施形態によれば、電流インタフェースは、さらに、電流源に接続して、この電流源に制御信号を供給する信号調整ユニットを備える。この構成は、センサインタフェースをコンパクトデザインにすることができるという利点を有する。
【００１４】
３＃  本発明のさらなる実施形態によれば、信号調整ユニットは、デジタル制御信号を電流源に供給するよう構成する。この構成は、デジタル電流インタフェースにより、正確で信頼性の高い信号調整を可能にするという利点を有する。
【００１５】
４＃  本発明の他の実施形態によれば、信号調整ユニットには、第１供給ピンと付加ピンとの間に存在する電源電圧により給電されて動作する構成とする。この構成は、信号調整ユニットを第１および／または第２供給ピンに現れるピーク電圧から自動的に保護するという利点を有する。したがって、望ましくない電圧変動によって信号調整および信号伝達におけるエラーや誤差を導くリスクを増やすことなしに、高精度でありかつ結果として高感度でもある信号調整ユニットを用いることができる。
【００１６】
もちろん、電流インタフェースの実際の動作状態に応じて、信号調整ユニットへの電源電圧は、経時的に変化し得る。しかし、電流インタフェースへの電源電圧は、実際の動作状態から独立して信号調整ユニットの正しい動作を可能にするために電源電圧を常に十分に大きくすることで、必要な大きさにすべきである。
【００１７】
５＃  本発明の他の実施形態によれば、電流インタフェースは、さらに、センサ素子を備える。この構成は、信頼性高くかつ高速なセンサパッケージをコンパクトデザインにすることができ、全てのセンサパッケージは２本のワイヤで動作し得るという利点を有する。
【００１８】
これに対して、電圧インタフェースに設けるセンサは、一般的に３本のワイヤ、具体的には、電源電圧ワイヤ、基準電圧または接地ワイヤ、ならびにアナログまたはデジタルデータ信号を転送するワイヤを必要とする。したがって、本発明による電流インタフェースは、１本のワイヤの節約を可能にする。
【００１９】
６＃  本発明の他の実施形態によれば、センサ素子に信号調整ユニットを一体的に形成する。これにより、様々な種類のセンサ素子および／または信号調整ユニットを実現し得る。
【００２０】
この文脈において、用語「一体的」は、センサ素子および信号調整ユニットの双方を収容する１つのパッケージを設けることを意味する。したがって、１個、または２個、またはそれ以上の集積回路によっても、センサ素子および信号調整ユニットを形成することができる。
【００２１】
７＃  本発明の他の実施形態によれば、センサ素子を角度センサとし、とくに、センサ素子を磁気抵抗角度センサとする。この構成は、正確な角度信号の生成、およびこれら信号の、電流インタフェースに対して下流側に配置したデータ評価ユニットによる信頼性の高いデータ評価を可能にするデジタル電流信号への調節との双方が可能な、完全なセンサパッケージを供給することができるという利点を有する。
【００２２】
角度信号は、デジタル信号と比べてより正確な角度分解能を可能にするアナログセンサ信号であることが望ましい。適切な方法でのこれらのアナログセンサ信号の調節および評価は、例えば既知の補間法による適切なデータ評価を用いることで、角度範囲が約０．０２°〜０．０４°の角度分解能を達成し得る
【００２３】
本発明による電流インタフェースは、他の種類のセンサ、例えば温度センサ、磁場センサ等に接続して使用できるということにも言及しなくてはならない。
【００２４】
８＃  本発明の他の実施形態によれば、第１供給ピン、２供給ピンならびに付加ピンは、単純に設けたピンとする。この構成は、第１供給ピンに接続したワイヤを介して電流インタフェースに流入する電流フローのアンペア値が、第２供給ピンに接続したワイヤを介して電流インタフェースから流出する電流フローと厳密に同一のアンペア数となる、という利点を有する。したがって、２本のワイヤの周辺領域に、全くゼロかほぼ無視できる量の電磁的汚染しか生じ得ないように、２本のワイヤを互いに配置することができる。
【００２５】
好適には、２本のワイヤをツイスト（ねじり）構造にし、大きなアンペア値を有する高周波電流信号でさえも電磁的汚染を生成できない、または十分に生成できないようにする。これは、本発明による電流インタフェースを電磁適合性の弱い装置に近接させて配置することを可能にする。
【００２６】
本発明による電流インタフェースの他の利点は、センサ素子の電源喪失を本来的に検出する。したがって、本発明による電流インタフェースをアンチロック・ブレーキ・システムといったセキュリティに関連する用途に使用することができる。
【００２７】
９＃  本発明の他の実施形態によれば、減結合（デカップリング）デバイスを、ダイオードとする。そのため、帯電した阻止（ブロッキング）キャパシタからの電流フローが電流源に到達できないような極性を有する電流インタフェースを表す回路構成となるようにダイオードを接続することが望ましい。したがって、阻止キャパシタのローパスフィルタ挙動は、本発明による電流インタフェースが高周波データ信号も供給するような電流源上では生じない。
【００２８】
短いピーク電圧が阻止キャパシタを帯電した後、キャパシタから信号調整ユニットへの滑らかな電流フローによって放電が行われるということを言及しなくてはならない。しかし、信号調整に直接印加されるピーク電圧が引き起こすマイナス影響と比べて、信号調整ユニットへの滑らかな電流フローは、信号調整ユニットの安定性にさほど影響しない。言い換えると、阻止キャパシタは、高周波出力電流信号の転送に備えるために電流インタフェースの出力信号を補整しない信号調整ユニットに印加される電圧レベルを平滑化する。
【００２９】
１０＃  本発明のさらなる実施形態によれば、減結合（デカップリング）デバイスを、電圧レギュレータとする。この構成は、一定の電圧差を常に信号調整ユニットに供給するという利点を有する。したがって、電圧変動、とくに第１供給ピンに接続したワイヤ内において、電圧変動があっても信頼性の高い信号調整が可能であるように、信号調整ユニットを極めて安定した状態で作動することができる。
【００３０】
出力電流に大きなアンペア値変動がある場合、電圧レギュレータによる一定の電源電圧の供給も可能であることに留意すべきである。この場合、一般的にこのワイヤと接地レベルとの間に接続した感知抵抗器がもたらす電圧降下が出力電流を測定するので、第２供給ピンに接続したワイヤの電圧レベルは、通常大きく変動する。
【００３１】
さらに、第１供給ピンに短い電圧変動が生じた場合、一般的にかなり緩速の電子デバイスである電圧レギュレータが、この変動を供給することに留意すべきである。しかし、すでに上述のように、阻止キャパシタはこの変動を平滑化する。また、電圧レギュレータを使用する場合、阻止キャパシタが高周波挙動電流インタフェースに影響しないように、電流源を少なくとも部分的に阻止キャパシタから減結合（デカップリング）する。したがって、すでに上述のように、電流インタフェースの下流に配置した評価ユニットにデジタルデータ信号を供給するために記載の電流インタフェースを用いることができる。
【００３２】
本発明の上述した態様および他の態様は、以下に説明する例示的な実施例から明らかであり、また例示的実施例につき説明する。本発明を以下の実施例を参照してさらに詳細に記載するが、これら実施例は本発明を制限するものではない。
【図面の簡単な説明】
【００３３】
【図１】本発明の第１実施例による電流インタフェースの回路図を示す。
【図２】本発明の第２実施例による電流インタフェースの回路図を示す。
【発明を実施するための形態】
【００３４】
[実施例１]
図面の説明図は、概略的なものである。異なる図面において、類似または同一素子には対応参照符号を付して示すが、先頭桁のみ異なる。
【００３５】
図１は、完全なセンサパッケージ１１０を表す電流インタフェース１００の回路図を示す。図示のセンサパッケージ１１０を単一チップパッケージ内に一体的に配置する。しかし、このセンサパッケージ１１０は、異なるチップパッケージに収容した、異なる集積回路によっても、実現できる。
【００３６】
センサパッケージ１１０は、センサ素子１３１および信号調整ユニット１３２を有する信号生成および調整デバイス１３０を備える。ここに説明する実施例によれば、センサ素子１３１は高感度角度センサとし、この高感度角度センサは有利な手法で磁気抵抗効果を利用して、広い角度範囲内で高い角度分解能を生ずる。この磁気抵抗センサ素子１３１はアナログセンサであり、アナログ出力信号を信号調整ユニット１３２に供給する。信号調整ユニット１３２は、このアナログ信号を調整および変換し、デジタル制御信号１３５を電流源１２０に供給する。電流源１２０の機能を後で詳細に説明する。
【００３７】
電流インタフェース１００を、電源電圧Ｖｄｄを供給する、制御および評価ユニット１５０に電気的に接続する。電源電圧Ｖｄｄを電流インタフェース１００に供給導体１６０を用いて供給する。制御および評価ユニット１５０は、さらに感知抵抗器１７１を備える。感知抵抗器１７１を、接地電圧レベルと信号導体１７０との間に接続し、この信号導体１７０は電流インタフェース１００から電流信号を受信する。これにより、電流信号は、センサ素子１３１が測定した角位置を表す。
【００３８】
電流信号は、感知抵抗器１７１において電圧降下を生じ、この電圧降下は電流信号における実際のアンペア値に比例する。この電圧降下は、電圧降下測定デバイス１７２、例えばオシロスコープまたは他の電圧測定デバイスによって測定する。測定した電圧信号をデータ処理デバイス１７５に供給し、さらなるデータ評価を行う。
【００３９】
制御および評価ユニット１５０は、当業者に既知の様々な他の電流測定デバイスによって実現できることを指摘しておくべきである。例えば、電流ミラーを有するデバイスにより電流測定が可能である。このことは、信号導体１７０を少なくとも部分的に実際の電流測定機器から減結合（デカップリング）することができるという利点がある。
【００４０】
電流インタフェース１００は、第１供給ピン１１１、第２供給ピン１１２ならびに付加ピン１１５の３本のピンを備える。第１供給ピン１１１を電源電圧Ｖｄｄに接続する。第２供給ピン１１２を信号導体１７０に接続する。
【００４１】
電流インタフェース１００において、電流源１２０を第１供給ピン１１１および第２供給ピン１１２に相互接続する。電流インタフェース１００の外側に阻止キャパシタ１２８を設け、この阻止キャパシタ１２８を付加ピン１１５と第２供給ピン１１２との間に介挿する。センサパッケージ１１０の外側に阻止キャパシタ１２８を配置することは、図示の電流インタフェース１００における特定用途に対して、阻止キャパシタ１２８のキャパシタンスを最適化できるという利点がある。図示の実施例によれば、阻止キャパシタ１２８は、約１００ｎＦのキャパシタンスを有するものとする。
【００４２】
電流インタフェース１００は、さらに、第１供給ピン１１１と第２供給ピン１１２との間に接続したダイオード１２５を備える。
【００４３】
図１に示す回路構成から明らかなように、阻止キャパシタ１２８は、ダイオード１２５のカソードに現れる電圧変動から信号生成および調整デバイス１３０を保護する。したがって、信号生成および調整デバイス１３０のために平滑な供給電圧が保証される。このように電圧変動がないと、信号生成および調整デバイス１３０は、極めて高感度の信号生成および極めて高感度の信号調整の双方が可能となる。したがって、センサ素子１３１が生成する信号によりエラーのない信号調整が、確実に可能となる。
【００４４】
ダイオード１２５は、電流源１２０を阻止キャパシタ１２８から減結合するという効果を有する。これは、外部の阻止キャパシタ１２８に接続した付加ピン１１５を使用することで実現する。したがって、ダイオード１２５は、阻止キャパシタ１２８を供給ピン１１１および１１２から減結合し、これにより、集積（統合）した電流源１２０は、帯電した阻止キャパシタ１２８からではなく、供給ライン１６０から直接的に電流を引き込むことができるようになる。このように、この回路によれば、２結線式電流インタフェース１００の実装を可能にし、情報を異なる電流レベルで転送するとともに、同時に、付加ピン１１５に接続した外部の阻止キャパシタ１２８を介して、内部回路における電源電圧リップルを除去ことができる。
【００４５】
キャパシタ１２８に接続する付加ピン１１５を備える上述の形態は、高周波制御信号１３５を電流源１２０に供給する場合、電流源１２０が供給する出力電流信号は、感知抵抗器１７１に接続した阻止キャパシタ１２８が引き起こすローパス周波数挙動によって影響を受けないという利点を有する。言い換えると、集積した電流源１２０が、ある電流レベルから他の電流レベルに切り替わるとき、抵抗器１７１および阻止キャパシタ１２８は、ローパスフィルタとして作用しない。したがって、感知抵抗器１７１に加わる電圧は比較的速く変化し、ピン１１２におけるいかなるデジタル信号出力のエッジもローパスフィルタの制限によって劣化しない。
【００４６】
電流源１２０を阻止キャパシタ１２８から減結合するのは、電流インタフェース１００を制御および評価ユニット１５０に接続する供給ワイヤ１６０，１７０の数を増やすことなく実現できることを認識されたい。図１から明らかなように、図示のセンサパッケージ１１０は、２個の供給ライン１６０，１７０によってのみ、動作する。
【００４７】
阻止キャパシタ１２８の電流源１２０からの減結合は、ダイオード１２５を低電力供給ライン内、すなわち信号生成および調整デバイス１３０と第２供給ピン１１２との間における導体内に配置する場合にも実現できることを認識されたい。
【００４８】
[実施例２]
図２は、本発明の他の実施例による電流インタフェース２００の回路図を示す。電圧レギュレータ２２６に置き換わったダイオード１２５の他に、電流インタフェース２００のコンポーネントは、電流インタフェース１００のコンポーネントと同一であるため、詳細な説明は再度行わない。制御および評価ユニット１５０と同一である制御および評価ユニット２５０についても同様である。
【００４９】
電圧レギュレータ２２６は、３個の端子を備える。第１端子は、第１供給ピン２１１に接続する。第２端子は、信号生成および調整デバイス２３０に接続する。第３端子は、第２供給ピン２１２に接続する。電圧レギュレータ２２６を使用して、信号生成および調整デバイス２３０に加わる電圧を安定化する。したがって、望ましくない電圧変動を信号生成および調整デバイス２３０から除去し、これにより、極めて高感度の信号生成および極めて高感度の信号調整の双方を行うことができる。
【００５０】
電圧レギュレータ２２６は、さらに、電流を第１供給ピン２１１から信号生成および調整デバイス２３０にのみ流し、信号生成および調整デバイス２３０から第１供給ピン２１１に反対方向に流すことはない、という効果を有する。したがって、電圧レギュレータ２２６は、ローパスフィルタ挙動が電流源２２０の出力信号を制限しないよう、阻止キャパシタ２２８を電流源２２０から減結合する、という効果も有する。
【００５１】
阻止キャパシタ２２８を電流源２２０からの減結合することは、電圧レギュレータ２２６を低電力供給ライン内、すなわち信号生成および調整デバイス２３０と第２供給ピン２１２との間における導体内に配置する場合にも実現できることを認識されたい。
【００５２】
さらに、図示のセンサパッケージ１１０，２１０を、電流インタフェースを介して情報をデジタル的に転送する任意な用途にも使用できることを認識されたい。しかし、阻止キャパシタ１２８、２２８の電流源１２０，２２０からの減結合は、とくに、一方で信号生成および調整デバイス１３０，２３０からの電圧変動の信頼性が高いブロッキングを必要とし、他方でローパス挙動による劣化のない信号出力を可能にする磁気抵抗角度センサに適している。
【００５３】
本明細書で使用する用語「備える／有する」は、他の要素やステップを除外せず、「単数表記」は、複数性を除外しない、ということに注意すべきである。異なる実施形態と関連して記載した要素は、組み合わせることも可能である。また、特許請求の範囲における参照符号を特許請求の範囲を制限するものとして解釈すべきでない、ということにも注意すべきである。
【００５４】
上述の本発明における実施形態を要約すると、
本明細書は、阻止キャパシタ１２８，２２８を有する電流インタフェース１００，２００を記載する。阻止キャパシタ１２８，２２８を付加ピン１１５，２１５に接続し、内部センサ回路１３０、２３０の電源電圧リップル除去を可能にする。ダイオード１２５または電圧レギュレータ２２６は、供給ライン１６０，２６０，１７０，２７０をキャパシタ１２８、２２８から減結合する。したがって、センサ素子１３２，２３２を電流インタフェース１００，２００とともに使用することは、阻止キャパシタ１２８，２２８のサイズを限定することはなく、これはすなわち、電流インタフェース１００，２００の出力電流信号におけるエッジの遷移時間が、通常出力電流信号におけるアンペア測定に用いられる感知抵抗器１７１，２７１に結合した阻止キャパシタ１２８，２２８のローパス挙動による影響を受けないからである。
【符号の説明】
【００５５】
１００  電流インタフェース
１１０  センサパッケージ
１１１  第１供給ピン
１１２  第２供給ピン
１１５  付加ピン
１２０  電流源
１２５  ダイオード
１２８  阻止キャパシタ
１３０  信号生成および調整デバイス
１３１  センサ素子
１３２  信号調整ユニット
１３５  デジタル制御信号
１５０  制御および評価ユニット
１６０  供給導体
１７０  信号導体
１７１  感知抵抗器
１７２  電圧降下測定デバイス
１７５  データ処理デバイス
Ｖｄｄ  電源電圧
ｇｎｄ  接地電圧レベル／基底準位
２００  電流インタフェース
２１０  センサパッケージ
２１１  第１供給ピン
２１２  第２供給ピン
２１５  付加ピン
２２０  電流源
２２６  電圧レギュレータ
２２８  阻止キャパシタ
２３０  信号生成および調整デバイス
２３１  センサ素子
２３２  信号調整ユニット
２３５  デジタル制御信号
２５０  制御および評価ユニット
２６０  供給導体
２７０  信号導体
２７１  感知抵抗器
２７２  電圧降下測定デバイス
２７５  データ処理デバイス
Ｖｄｄ  電源電圧
ｇｎｄ  基準電圧レベル／接地レベル
【図１】
2009537036.tif 000003
【図２】
2009537036.tif 000004
【国際調査報告】
2009537036.tif 000005
2009537036.tif 000006